(57)【要約】【課題】点消火ボタンの周囲に、リング状の火力調節ダイヤルを配置したガス制御装置を、ガスバーナーの火力を一定の幅をもって正確に切換えることができるように構成する。【解決手段】バルブケーシング１１ａ、１１ｂのガス流出部の上流側に、相互に隔絶して開設した複数の連通路１５を形成する。バルブケーシングに火力調節ダイヤル７を付設すると共に、その回転に同期して回転する円筒形状の回転体６１をガス通路１２ｂに挿設する。回転体の外周面に、各連通路にそれぞれ対応させてガス通路と各連通路との連通を許容する複数の長溝６２を相互に円周方向にずらして形成し、該回転体を回転させて、一致した各長溝とを各連通路との数に応じてガス流量が増減されるようにする。火力調節ダイヤルの回転方向の所定の位置にクリックを発生させる少なくとも１個のノック位置を設ける。【選択図】　図２
2004012064.tif 000002
【特許請求の範囲】
【請求項１】
ガス通路を有し、該ガス通路を介して相互に連通するガス流入部とガス流出部とを開設したバルブケーシングを備え、ガスバーナーに通じる該ガス流出部の上流側に、相互に隔絶して開設した複数の連通路を形成し、
該バルブケーシングに火力調節ダイヤルを付設すると共に、該火力調節ダイヤルの回転に同期して回転する円筒形状の回転体をガス通路に挿設し、
該回転体の外周面に、各連通路にそれぞれ対応させてガス通路と各連通路との連通を許容する複数の長溝を相互に円周方向にずらして形成し、該回転体を回転させて、一致した各長溝とを各連通路との数に応じてガス流量が増減されるガス制御装置であって、
前記火力調節ダイヤルの回転方向の所定の位置にクリックを発生させる少なくとも１個のノック位置を設け、ノック位置毎に一致する長溝と連通路との数が増減するようにしたことを特徴とするガス制御装置。
【請求項２】
各連通路を通過してガスバーナーへと流れる燃料ガスのガス流量を所定量に調節する複数のオリフィス孔を形成したオリフィス部材を、各オリフィス孔を各連通路にそれぞれ一致させてバルブケーシングに装着したことを特徴とする請求項１記載のガス制御装置。
【請求項３】
前記ガス流入部と回転体との間のガス通路に開閉弁を設け、該開閉弁の作動を制御する点消火ボタンをリング状の火力調節ダイヤルに内設したことを特徴とする請求項１または請求項２に記載のガス制御装置。
【請求項４】
点消火ボタンの外周面に設けた半径方向の孔に外側に向かって付勢して突出片を設けると共に、火力調節ダイヤルの内周面の所定の位置に凹部を設け、前記ノック位置で、火力調節ダイヤルを回転させて該凹部に前記突出片が係合してクリックを発生させるようにしたことを特徴とする請求項３記載のガス制御装置。、
【発明の詳細な説明】
【０００１】
【発明の属する技術分野】
本発明は、例えばガスコンロに設けたガスバーナーへの燃料ガスの供給を制御するガス制御装置に関する。
【０００２】
【従来の技術】
この種のガス制御装置は、例えば特許第２７４２３５６号公報が知られている。このものは、例えばガスコンロの前面パネルに設けた前後方向に移動自在な点消火ボタンを有し、該点消火ボタンの前後方向の異なる３個の位置には、ガスバーナーに連なるガス通路を開放保持する開弁位置と、ガスバーナーの点火手段を作動させる点火位置と、ガス通路を閉鎖する閉弁位置とが設けられている。
【０００３】
閉弁位置から点消火ボタンを押圧操作すると、点消火ボタンが点火位置に移動し、ガス通路を開放すると共にガスバーナーの点火手段を作動させる。ガスバーナーが着火したことを確認して点消火ボタンの押圧を開放すると、点消火ボタンは突出して開弁位置に移動する。
【０００４】
開弁位置では、ガスバーナーの火力調節が点消火ボタンの周囲に設けたリング状の火力調節ダイヤルによって行われる。火力調節ダイヤルは、ガス通路に設けた弁孔に対して挿入自在なニードルに連動し、該ニードルを操作して弁孔とニードルとの間の面積を変化させてガス流出部へのガス流量が増減される。
【０００５】
【発明が解決しようとする課題】
上記のものは、火力調節ダイヤルの回転に連動して連続的に燃料ガスのガス流量を増減できるものの、ガスバーナーの火力を切換えるには、目視でガスバーナーの火炎を確認しながら火力調節ダイヤルを回転させる必要があり、使い勝手が悪いという問題がある。
【０００６】
このため、火力調節ダイヤルの回転方向の所定の位置にノックを設け、ノック位置まで火力調節ダイヤルを回転させる方法が考えられるが、ニードルのヒステリシスによりノック位置でのガス流量が一定にならないという問題がある。
【０００７】
そこで、本発明は、上記点に鑑み、ガスバーナーの火力を一定の幅をもって正確に切換えることができ、ガス器具の使い勝手を向上させるガス制御装置を提供することを課題とする。
【０００８】
【課題を解決するための手段】
上記課題を解決するために、本発明のガス制御装置は、ガス通路を有し、該ガス通路を介して相互に連通するガス流入部とガス流出部とを開設したバルブケーシングを備え、ガスバーナーに通じる該ガス流出部の上流側に、相互に隔絶して開設した複数の連通路を形成し、該バルブケーシングに火力調節ダイヤルを付設すると共に、該火力調節ダイヤルの回転に同期して回転する円筒形状の回転体をガス通路に挿設し、該回転体の外周面に、各連通路にそれぞれ対応させてガス通路と各連通路との連通を許容する複数の長溝を相互に円周方向にずらして形成し、該回転体を回転させて一致した各長溝とを各連通路との数に応じてガス流量が増減されるガス制御装置であって、前記火力調節ダイヤルの回転方向の所定の位置にクリックを発生させる少なくとも１個のノック位置を設け、ノック位置毎に一致する長溝と連通路との数が増減するようにしたことを特徴とする。
【０００９】
本発明によれば、ガス流量を増加するために、火力調節ダイヤルを一方に回転させると、連動してガス通路内の回転体が回転し、クリックが発生するノック位置まで火力調節ダイヤルを回転させると、クリック毎に、一致した長溝と連通路との数が増加してガス流量が増加する。
【００１０】
また、ガス流量を減少させる場合、クリックが発生するノック位置まで火力調節ダイヤルを他方に回転させると、一致した長溝と連通路との数が順次減少し、ガス流量が減少する。
【００１１】
この場合、ノック位置毎に、一致する通路を切換えてガス流量を増減してガスバーナーの火力を調節できるので、ガスバーナーの火力設定が容易になり、ガス器具の使い勝手が向上する。
【００１２】
また、各連通路を通過してガスバーナーへと流れる燃料ガスのガス流量を所定量に調節する複数のオリフィス孔を形成したオリフィス部材を、各オリフィス孔を各連通路にそれぞれ一致させてバルブケーシングに装着しておけば、オリフィス部材の交換によりガス種の変更に対応できる。
【００１３】
尚、例えば、前記ガス流入部と回転体との間のガス通路に開閉弁を設け、該開閉弁の作動を制御する点消火ボタンをリング状の火力調節ダイヤルに内設するようにガス制御装置を構成してもよい。
【００１４】
また、例えば、点消火ボタンの外周面に設けた半径方向の孔に外側に向かって付勢して突出片を設けると共に、火力調節ダイヤルの内周面の所定の位置に凹部を設け、前記ノック位置で、火力調節ダイヤルを回転させて該凹部に前記突出片が係合してクリックを発生させるようにしてもよい。
【００１５】
【発明の実施の形態】
図１を参照して、ガス制御装置１は、例えばガスコンロ２に組込まれる。この場合、ガスコンロ２は箱状のコンロ器体２１を有し、コンロ器体２１には、その上面を覆う天板２２に設けた２個の開口を臨むように２個のガスバーナー２３ａ、２３ｂが設けられている。
【００１６】
コンロ器体２１にはまた、その前面の両端に設けた前面パネル２４の間に位置してセラミックプレート式バーナー（図示せず）を設けたグリル２５が設けられている。そして、本発明のガス制御装置１によって２個のガスバーナー２３ａ、２３ｂ及びセラミックスプレート式バーナーへの燃料ガスの供給が制御される。
【００１７】
図２を参照して、ガス制御装置１は、上下に重ねて連結した２個の部分１１ａ、１１ｂから構成されるバルブケーシングを有する。下側に位置するバルブケーシングの第１部分１１ａには、バルブケーシングの長手方向に沿って延びる第１内部通路１２ａが設けられ、第１内部通路１２ａに連通するガス流入部１３が開設されている。
【００１８】
ガス流入部１３の下流側に位置して第１内部通路１２ａには電磁弁３が設けられている。電磁弁３はマグネットケース３１を有し、このマグネットケース３１には、例えばコンロ器体２１に設けた制御ユニット（図示せず）からの信号に基づいて励磁される電磁石とこれに吸着される吸着片とが収容されている。
【００１９】
吸着片にはマグネットケース３１から第１内部通路１２ａの下流側に向かって突出した第１弁体３２が連結されている。電磁弁３の閉弁状態では、第１弁体３２は、該第１弁体３２とマグネットケース３１との間に縮設したばね３３の付勢力によって、シール材３４ａを介して第１内部通路１２ａに設けた弁座部材３４の弁座に着座している。
【００２０】
該電磁弁３の開弁操作は、シール材４１を介して第１内部通路１２ａに挿設され、第１内部通路１２ａの長手方向に沿って前後に移動自在な操作ロッド４により行われる。また、操作ロッド４には第２弁体４２が設けられ、第２弁体４２は第１内部通路１２ａに設けた弁座４３と共に元弁を構成する。元弁の閉弁状態では、第２弁体４２は、第２弁体４２と弁座部材３４との間に縮設したばね４４により弁座４３に着座している。
【００２１】
操作ロッド４の前後方向の移動は、正面パネル２４から突出させて設けた点消火ボタン５の押込み操作によって行われる（図１参照）。点消火ボタン５は円筒形状に形成され、その第１内部通路１２ａ側の端面には、点消火ボタン５の移動に伴って操作ロッド４を押圧する押圧ロッド５ａが連結されている。
【００２２】
また、押圧ロッド５ａの一端は、第１部分１１ａの下側に設けたハートカム機構５ｂに連結されている。この場合、後述の火力調節ダイヤルの先端面から突出し第１内部通路１２ａを閉鎖する閉弁位置（図１に示す状態）から点火操作を行うために点消火ボタン５を押込み操作すると、押圧ロッド５ａを介して操作ロッド４が後方向（図２の右側）に押圧されて元弁を開弁させた後、弁体３２を吸着片側に押しきると共に点火手段である放電ユニット（図示せず）が作動する点火位置まで移動する。
【００２３】
点火位置から点消火ボタン５の押圧を開放すると、ハートカム機構５ｂで案内されて前方向（図２の左側）に移動して元弁を開弁保持して第１内部通路１２ａを開放した状態の開弁位置に到達する。消火操作を行うために開弁位置から点消火ボタン５をさらに押込み操作すると、ハートカム機構５ｂがリセットされて消化位置に戻される。
【００２４】
また、元弁の上流側に位置して第１部分１１ａにはガス流出口１４が設けられ、該ガス流出口１４は、第２部分１１ｂに設けた略Ｌ字形の第２内部通路１２ｂの一端と一致し、第１及び第２の各内部通路１２ａ、１２ｂがガス通路を構成する。そして、ガス通路のガス流出部から流出した燃料ガスはガスバーナー２３ａ、２３ｂ及びセラミックスプレート式バーナーの混合管に供給される。
【００２５】
ここで、各バーナー２３ａ、２３ｂの火力を変更するために、各バーナー２３ａ、２３ｂの混合管に供給する燃料ガスのガス流量を調節できるようにする必要がある。この場合、バーナー２３ａ、２３ｂの火力を一定の幅をもって切換えることができるようにガス流量を増減できるのがよく、その際、各バーナー２３ａ、２３ｂの火力が常時一定になるようにするのがよい。
【００２６】
本実施の形態では、第２部分１１ｂの外周面に、所定の間隔を置いて４個の第１、第２、第３及び第４の各連通路１５ａ、１５ｂ、１５ｃ、１５ｄが相互に隔絶して設けた。この場合、各連通路１５ａ、１５ｂ、１５ｃ、１５ｄを介して、第２部分１１ｂの上部に連結したガス流出部材１６と第２内部通路１２ｂとが連通し、各連通路１５ａ、１５ｂ、１５ｃ、１５ｄの孔径は前方向に向かって順次大きく形成している。そして、第２内部通路１２ｂに、次ぎのような構成の流量調節弁６を設けた。
【００２７】
即ち、流量調節弁６は、図２及び図３に示すようにシール材６１ａを介して第２内部通路１２ｂに回転自在に設けた円筒形状の回転体６１を有する。回転体６１の外周面には、４本の円周方向の第１、第２、第３及び第４の各長溝６２ａ、６２ｂ、６２ｃ、６２ｄが、第１、第２、第３及び第４の各連通路１５ａ、１５ｂ、１５ｃ、１５ｄにそれぞれ対応させて形成されている。この場合、各長溝６２ａ、６２ｂ、６２ｃ、６２ｄの幅寸法は、各連通路１５ａ、１５ｂ、１５ｃ、１５ｄの孔径にそれぞれ一致させかつ円周方向にずらして形成している。
【００２８】
また、各連通路１５ａ、１５ｂ、１５ｃ、１５ｄを通過してガス流出部材１６へと流れる燃料ガスのガス流量を所定量に調節する４個のオリフィス孔６３ａ、６３ｂ、６３ｃ、６３ｄを形成したオリフィス部材６３を、各連通路１５ａ、１５ｂ、１５ｃ、１５ｄに一致させて第２部分１１ｂの外周面に装着している。この場合、オリフィス部材６３の交換によりガス種の変更に対応できる。
【００２９】
回転体６１の回転角の調節は、点消火ボタン５の周囲に設けた火力調節ダイヤル７により行われる。図４に示すように、火力調節ダイヤル７は中空円筒形状の基部７０ａにリング状のキャップ７０ｂを装着して構成されている。
【００３０】
火力調節ダイヤル７の第１内部通路１１ａ側の端部は所定ピッチで歯切りされ、歯切した部分７１が第２部分１１ｂから突出した回転体６１の一端部に嵌合した歯車７２と噛合っている。これにより、火力調節ダイヤル７の回転操作に同期して回転体６１が回転される。
【００３１】
ところで、ガスバーナー２３ａ、２３ｂの点火操作時、燃料ガスへの着火を確実に行うには、例えばガスバーナー２３ａ、２３ｂの火力が強または中になるように燃料ガスをガスバーナー２３ａ、２３ｂに供給するのがよい。また、安全性を考慮して、子供等が点消火ボタン５に誤って接触して放電ユニットが作動しないようにいわゆるチャイルドロック機構を設けるのがよい。
【００３２】
図２乃至図６を参照して、本実施の形態では、前面パネル２４から突出した火力調節ダイヤル７の前方向の内周面にカム溝７３を形成すると共に、中空の火力調節ダイヤル７内を前後方向に移動する点消火ボタン５の外周面にカム溝７３と対偶をなす第１突出片５１を設けて強制回転手段を構成した。この場合、第１突出片５１は、点消火ボタンの外周面に設けた半径方向の孔５２に、半径方向外側に向かってばね５３で付勢した状態で設けられている。
【００３３】
これにより、ガスバーナ２３ａ、２３ｂの点火のため、閉弁位置から点消火ボタン５を押込み操作すると、第１突出片５１が原動節となって従動節であるカム溝７３が形成された火力調節ダイヤル７を所定の位置まで回転させる。
【００３４】
この場合、点消火ボタン５の押込み操作を利用して火力調節ダイヤル７を回転させるので、例えば点消火ボタン５と第１部分１１ａとの間に縮設したばね１７の付勢力を大きくする必要がなく、ガス制御装置の構造を簡素化できる。
【００３５】
また、カム溝７３の壁面の高さが、点消火ボタン５の押込み操作につれて一方から他方に向かって低くなるように形成している。そして、閉弁位置から点消火ボタン５の押込み操作を行うと、点消火ボタン５の移動に伴って第１突出片５１が前記孔５２内に収納され、カム溝７３から長手方向に延びる平坦部７４に到達する。
【００３６】
さらに点消火ボタン５を押込み操作すると、前記孔５２に収納された第１突出片５１は平坦部７４に沿って移動して点火位置に到達する。そして、放電ユニットを作動させてガスバーナー２３ａ、２３ｂを点火した後、点消火ボタン５の押圧を解除すると、ハートカム機構５ｂに案内されてばね５ｃの付勢力によって少し戻り、点消火ボタン５は開弁位置に到達する。
【００３７】
開弁位置に対応して火力調節ダイヤル７の内周面には、平坦部７４と同一平面の回転案内路７５が形成され、回転案内路７５に沿って火力調節ダイヤル７は時計方向または反時計方向に回転自在となる。この場合、第１突出片５１は孔５２に完全に収納され、カム溝７３とは係合していない。
【００３８】
これにより、閉弁位置から開弁位置への点消火ボタン５の押込み操作に連動した第１突出片５１とカム溝７３との強制回転手段による火力調節ダイヤル７の強制的な回転は、点消火ボタン５が点火位置に到達する前に完了し、開弁位置では、点消火ボタン５の突出片５１と火力調節ダイヤル７のカム溝７３との係合関係は解除されている。
【００３９】
そして、火力調節ダイヤル７を、時計方向に回転させるとガス流量が絞られ、反時計方向に回転させるとガス流量が増加するように回転体６１が回転される。
【００４０】
この場合、火力調節ダイヤル７の回転範囲を制限するため、火力調節ダイヤル７の基部７０ａの外周壁に設けた凸部がコンロ器体２１に設けたストッパ（図示せず）に係合するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致してガス流出部１６へのガス量が最大となるように回転体６１を配置する。
【００４１】
他方で、第１長溝６２ａが第１連通路１５ａとのみ一致する位置に、点消火ボタン５の一端に設けた突出部５６が接触する回転止め７６を回転案内路７５設けている（図６参照）。
【００４２】
これにより、開弁位置では、火力調節ダイヤル７が、ガス流出部１６へのガス流量を最小にしてガスバーナー２３ａ、２３ｂの火力を小とする小火力と、ガス流量を最大にしてガスバーナー２３ａ、２３ｂの火力を強とする強火力との間の火力調節範囲内でのみ回転自在となり、回転案内路７５の一端部と回転止め７６とが回転範囲制限手段を構成する。
【００４３】
ここで、一定の幅でガスバーナーの火力が変化したことを調理者に認識させるため、例えば火力が弱及び中となる位置でクリックを発生させるようにするのがよい。
【００４４】
本実施の形態では、図３に示すように、第１突出片５１に対向して点消火ボタン５の外周面に第２突出片５４を設けた。この場合、第１突出片５１より小径の第２突出片５４は、点消火ボタン５の外周面に設けた半径方向の孔５５に、半径方向外側に向かってばね５６で付勢した状態で設けられている。
【００４５】
また、回転案内路７５の所定の位置に半径方向の第１及び第２の凹部７７、７８をそれぞれ形成し、第２突出片５４のみが係合してクリックを発生させるノック位置を設けた。
【００４６】
そして、例えば、火力調節ダイヤル７を最小流量（この場合、ガスバーナー２３ａ、２３ｂの火力は小）から反時計方向に回転させて第２突出片５４が第１凹部７７に係合するとクリックを発生させる。この場合、第１長溝６２ａに加えて第２長溝６２ｂが第２連通路１５ｂに一致してガス流出部材１６へのガス流量が増加してガスバーナー２３ａ、２３ｂの火力が弱となる。
【００４７】
さらに火力調節ダイヤル７を反時計回りに回転させ、第２凹部７８と第２突出片５４が係合するとクリックを発生させる。この場合、第１及び第２の長溝６２ａ、６２ｂに加えて第３長溝６２ｃが第３連通路１５ｃに一致してガス流出部材１６へのガス流量が増加してガスバーナー２３ａ、２３ｂの火力が中となる。
【００４８】
これにより、ノック位置毎に、長溝６２ａ、６２ｂ、６２ｃ、６２ｄに一致する連通路１５ａ、１５ｂ、１５ｃ、１５ｄを切換えてガス流量を増減して各バーナー２３ａ、２３ｂの火力を調節できるので、ガスバーナーの火力設定が容易になり、ガス器具の使い勝手が向上する。
【００４９】
また、連通路１５ａ、１５ｂ、１５ｃ、１５ｄを通過したガス流量はオリフィス部材６３の各オリフィス孔６３ａ、６３ｂ、６３ｃ、６３ｄで定まるので、各設定火力はほぼ一定になる。
【００５０】
また、点消火ボタン５の閉弁位置では、火力調節ダイヤル７が火力調節範囲を超えて時計方向に回転できるようにカム溝７３を形成している。火力調節範囲を超えて火力調節ダイヤル７をカム溝７３の一端部まで回転させると第１突出片５１が、カム溝７３の一端部に形成した操作ボタン５の押圧方向に対し直角な壁面７３ａに係合し、チャイルドロックできる。
【００５１】
次に、ガスバーナー２３ａを用いて本発明のガス制御装置１の作動を説明する。図２に示す閉弁位置から、点消火ボタン５の押込み操作を行うと、第１突出片５１とカム溝７３との作用により火力調節ダイヤル７が回転される。
【００５２】
この場合、回転体６１は、歯車７２を介して回転され、この位置では、第１、第２及び第３の各長溝６２ｂ、６２ｃ、６２ｄが第１、第２及び第３の各連通路１５ｂ、１５ｃ、１５ｄにそれぞれ一致し、ガスバーナー２３ａの火力を中とするガス流量の燃料ガスがガス流出部１６へ流れる（図６（ｄ）及び図１０参照）。
【００５３】
点消火ボタン５の押込み操作を続けると、図７に示すように、押圧ロッド５ａを介して操作ロッド４を後方向に押圧して元弁を開弁させ、弁体３２を吸着片側に押しきる点火位置に到達する。
【００５４】
点火位置に到達すると、放電ユニットによってガスバーナー２３ａの点火操作が行われる。そして、ガスバーナー２３ａの近傍に設けた火炎検出素子２６（図１参照）がガスバーナー２３ａの火炎を検出すると、制御ユニットからの信号で電磁弁３が励磁されて開弁保持される。
【００５５】
ガスバーナー２３ａが着火したことを確認して点消火ボタン５の押圧を解除すると、点消火ボタン５は、ハートカム機構５ｂに案内されて図８に示す開弁位置に到達する。開弁位置では、元弁は操作ロッド４の押圧作用で開弁保持されると共に、火力調節ダイヤル７が火力調節範囲内で回転自在になる。
【００５６】
そして、ガスバーナーの火力を強めるため、中火位置から、火力調節ダイヤル７の基部７０ａに設けた凸部がコンロ器体２１に設けたストッパに係合するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致し、ガスバーナー２３ａの火力を強とするガス流量の燃料ガスがガス流出部１６へ流れる（図６（ｅ）及び図９参照）。
【００５７】
他方で、中火からガスバーナー２３ａの火力を絞るため、第２突出片５４が第１凹部７７に係合してクリックを発生するまで火力調節ダイヤル７を時計方向にさらに回転させると、第１及び第２の各長溝６２ａ、６２ｂが第１及び第２の各連通路１５ａ、１５ｂにそれぞれ一致し、ガスバーナー２３ａの火力を弱とするガス流量の燃料ガスがガス流出部１６へ流れる（図６（ｃ）及び図３参照）。
【００５８】
次いで、第１突出片５１が回転止め７６に接触するまで火力調節ダイヤル７を時計方向に回転させると、第１長溝６２ａが第１連通路１５ａとのみ一致し、ガスバーナー２３ａの火力を小とする最小ガス流量の燃料ガスがガス流出部材１６へ流れる（図３及び図６（ｂ）参照）。
【００５９】
ガスバーナー２３ａを消火する場合、開弁位置から後方向に点消火ボタン５を押込み操作すると、ハートカム機構ｂがリセットされ、点消火ボタン５は、ばね５ｃの付勢力を受けて図２に示す火力調節ダイヤル７から突出した閉弁位置まで後退する。
【００６０】
この場合、押圧ロッド５ａの押圧が解除された操作ロッド４は、ばね３４の付勢力を受けて後方向に移動し、元弁を閉弁する。元弁が閉弁されるとガスバーナー２３ａへの燃料ガスの供給が停止されて消火される。火炎検出素子２６によって火炎が消えたことを制御ユニットが認識すると電磁弁３が閉弁される。
【００６１】
ここで、図１２は、本発明のガス制御装置１の火力調節ダイヤル７を回転させた場合のガス量の変化を示す。これによると、火力調節ダイヤル７を時計方向まて反時計方向に回転させてガス流量を増減させても、小火、弱火、中火及び強火に対応する火力調節ダイヤル７の各回転角でのガス流量は常時一定になった。
【００６２】
最後に、閉弁位置で、火力調節ダイヤル７を、カム溝７３に沿って火力調節範囲を超えて時計方向に回転させると、第１突起片５１がカム溝７３の壁面７３ａに係合して押圧不能になりチャイルドロックされる。
【００６３】
【発明の効果】
以上説明したように本発明のガス制御装置は、ガスバーナーの火力を一定の幅をもって正確に切換えることができ、ガス器具の使い勝手を向上させることができるという効果を奏する。
【図面の簡単な説明】
【図１】本発明のガス制御装置を組込んだガスコンロの斜視図
【図２】閉弁位置にある本発明のガス制御装置の断面図
【図３】（ａ）は、ガスバーナー弱火の場合の点消火ボタンに対する火力調節ダイヤルの位置を説明する図。（ｂ）は、ガスバーナー弱火の場合の回転体の位置を説明する図。
【図４】点消火ボタンと火力調節ダイヤルとの構成を説明する分解斜視図
【図５】（ａ）乃至（ｄ）は、火力調節ダイヤルに対する点消火ボタンの第１突出片の位置を説明する図
【図６】（ａ）乃至（ｅ）は、開弁位置における回転体の回転位置と、火力調節ダイヤルに対する第２突出片の位置とを説明する図
【図７】点火位置にある本発明のガス制御装置の断面図
【図８】開弁位置にある本発明のガス制御装置の断面図
【図９】（ａ）は、ガスバーナー強火の場合の点消火ボタンに対する火力調節ダイヤルの位置を説明する図。（ｂ）は、ガスバーナー強火の場合の回転体の位置を説明する図。
【図１０】（ａ）は、ガスバーナー中火の場合の点消火ボタンに対する火力調節ダイヤルの位置を説明する図。（ｂ）は、ガスバーナー中火の場合の回転体の位置を説明する図。
【図１１】（ａ）は、ガスバーナー小火の場合の点消火ボタンに対する火力調節ダイヤルの位置を説明する図。（ｂ）は、ガスバーナー小火の場合の回転体の位置を説明する図。
【図１２】本発明のガス制御装置の火力調節ダイヤルを回転させたときのガス流量の変化を説明する図。
【符号の説明】
１　ガス制御装置
１１ａ、１１ｂ　バルブケーシング
１２ａ、１２ｂ　内部通路
１３　ガス流入部
１５　連通路
１６　ガス流出部材
５　点消火ボタン
６　流量調節弁
６１　回転体
７　火力調節ダイヤル
５１、７３　強制回転手段
【図１】
2004012064.tif 000003
【図２】
2004012064.tif 000004
【図３】
2004012064.tif 000005
【図４】
2004012064.tif 000006
【図５】
2004012064.tif 000007
【図６】
2004012064.tif 000008
【図７】
2004012064.tif 000009
【図８】
2004012064.tif 000010
【図９】
2004012064.tif 000011
【図１０】
2004012064.tif 000012
【図１１】
2004012064.tif 000013
【図１２】
2004012064.tif 000014